(57)【要約】【課題】額縁の縦向きコ−ナ−部の既設ネジ穴の１つに取付ける、又は２壁面の縦向きコ−ナ−部の１壁面にネジ穴を１つ新設して取付けることで、１つの架台で縦向きのコ−ナ−に対し、上下方向に支持部の位置を可変させて物が支えられ、又架台露出時の外観の違和感も抑えられる架台を提供する。【解決手段】支持部１aと、コ−ナ−当接部１e並びに取付面１gを備えた取付プレ−ト部１dとが、平面視してほぼ直交している架台であって、この架台の取付プレ−ト部１dに、コ−ナ−当接部１eから内辺１f迄で、かつ取付プレ−ト部１ｄの縦方向の支持部側の端から3分の１の範囲及び、非支持部側の端から3分の１の範囲のそれぞれに、横長ネジ穴１hを１つ以上設け、前記ネジ穴の１つでネジ止めをして架台１を取付けることで、１つの架台で縦向きのコ−ナ−に対し、上下方向に支持部の位置を可変させて物が支えられ、又架台露出時の外観の違和感も抑えられるようにした。【選択図】  図１
2009045079.tif 000002
【特許請求の範囲】
【請求項１】
物をはさむ又は乗せる支持部と、コ−ナ−当接部並びにほぼフラットな取付面を備えた取付プレ−ト部とが、平面視してほぼ直交の構成で、更に前記コ−ナ−当接部を境に支持部の反対側には何も出ていない前記取付プレ−ト部に、コ−ナ−当接部から内辺迄で、かつ取付プレ−ト部の縦方向の両端からそれぞれ3分の１の範囲に、前記支持部に対しほぼ直角にネジ止めをする支持部側に横長のネジ穴を、１つ以上設けたことを特徴とする架台。
【請求項２】
第２支持部を前記取付プレ−ト部と平面視してほぼ直交に、後で追加で取付けることを特徴とする請求項１記載の架台。
【請求項３】
前記取付面と平行方向の前記支持部の面に、棚板受け用のＬ字型又はピン部材を後で追加で取付けることを特徴とする請求項１又は２記載の架台。
【発明の詳細な説明】
【技術分野】
【０００１】
本発明は１つの架台で縦向きのコ−ナ−に対し、上下方向に支持部の位置を可変させて物を支え、又外観の違和感を抑える架台に関する。
【背景技術】
【０００２】
従来のネジ止めの架台は、１面の壁面又は、縦向きのコ−ナ−部の２面を使い、ネジ穴を新設して取付けることを前提にした支持部と取付プレ−ト部の構成並びに、取付プレ−ト部のネジ穴の配置がなされていた。又取付先の面に対し支持部が手前に来る構成になっていた。（特許文献１及び特許文献２参照。）。
【０００３】
【特許文献１】特許第２７８７５６７号公報（段落０００６〜０００８・第１図.第６図）
【０００４】
【特許文献２】特開２０００−２７０９４３号公報（段落０００５〜０００７・第２図.第３図）
【発明の開示】
【発明が解決しようとする課題】
【０００５】
しかしながら上記従来のネジ止めの架台では、ネジ穴を新設して取付けることを前提にした支持部と取付プレ−ト部の構成並びに、取付プレ−ト部のネジ穴の配置のため、額縁の縦向きコ−ナ−部の既設ネジ穴を利用して取付けても、コ−ナ−に対し上下方向に支持部の位置を可変させることも、物を支えることもできない問題がある。
【０００６】
又出入り口に使用されている額縁の縦向きコ−ナ−部に、従来のネジ止めの架台を既設ネジ穴面にネジ穴を新設して取付けると、間口に対し支持部が横向きとなり出入りの邪魔になるといった問題も発生してくる。又間口に対し支持部が手前にくるようにつば部だけに取付けると、つば部が木枠に支えられていないため取付けの強度不足が生じる。
【０００７】
又支持部が取付先の面に対し手前に来る構成のため、支持部と取付プレ−ト部の合わさっている部分の寸法が、支持部の支持加重に対し取付プレ−ト部又は、支持部の厚み分の寸法しかないことから、加重量が大きいくなると支持部と取付プレ−ト部とを筋かう補強を大きくするか又は、取付プレ−ト部又は支持部の厚みを増やし、合わさっている部分の寸法をのばし強度を上げるか又は、架台を強度のある素材で作ることとなりいかつさがでてしまい、棚板を介さず支持部を直接利用する架台露出時は、前記補強部の大きさ又は前記厚み又は前記素材によるいかつさが外観の違和感となり、外観上好ましくない場合もでてくる。
【０００８】
本発明は上記課題を解決しようとするもので、その目的は２壁面の縦向きコ−ナ−部に取付ける又は、内角がほぼ直角で内面が平面状のL字型やコ字型の建材、いわゆる額縁の縦向きコ−ナ−部の額縁を固定している既設ネジ穴を利用して取付け、更に取付けるとき１つの架台で縦向きのコ−ナ−に対し、上下方向に支持部の位置を可変させて物を支え、又架台露出時の外観の違和感を抑える架台を提供することでことである。
【課題を解決するための手段】
【０００９】
上記目的を達成するために本発明は、物をはさむ又は乗せる支持部と、コ−ナ−当接部並びにほぼフラットな取付面を備えた取付プレ−ト部とが、平面視してほぼ直交の構成で、更に前記コ−ナ−当接部を境に支持部の反対側には何も出ていない前記取付プレ−ト部に、コ−ナ−当接部から内辺迄で、かつ取付プレ−ト部の縦方向の両端からそれぞれ3分の１の範囲に、前記支持部に対しほぼ直角にネジ止めをする支持部側に横長のネジ穴を、１つ以上設けたことを特徴とする架台である。
【００１０】
又第２支持部を前記取付プレ−ト部と平面視してほぼ直交に、後で追加で取付けることを特徴とする架台である。
【００１１】
又前記取付面と平行方向の前記支持部の面に、棚板受け用のＬ字型又はピン部材を後で追加で取付けることを特徴とする架台である。
【００１２】
そしてここに請求項１と２記載の架台を平面視して支持部が横向きで、取付プレ−ト部が縦向きの方向にあることを前提に各部の定義を下記に述べる。
【００１３】
そこでまずコ−ナ−当接部とは、額縁の縦向きコ−ナ−部の既設ネジ穴の無い面、いわゆるつば部又は、２壁面の縦向きコ−ナ−部の壁面に当接させる部分で、取付プレ−ト部の縦向きの２辺の内、支持部の先端から遠い方の辺を指し、そしてこの辺は凸部がない直線であることが好ましいが、凸部が複数ある場合は凸部を結ぶ線分がコ−ナ−当接部となり、又凸部が１つの場合で凸部に直線があり、その直線が取付プレ−ト部の縦方向の範囲の五割を超える場合は、前記凸部の直線がコ−ナ−当接部となる。
【００１４】
次に取付プレ−ト部及び支持部の範囲は、取付プレ−ト部の縦向きの２辺の内、支持部の先端から近い方の辺すなわち内辺と、この辺が支持部をまたいだ部分も含む線分、総じて内辺及びその延長線上と、コ−ナ−当接部の間の範囲が取付プレ−ト部の範囲で、それ以外の部分が支持部となる。
又三角形以上の多角形の一枚物のプレ−トで、中をくりぬいた形で架台を構成した場合においては、くりぬいた時にできる２辺の内、コ−ナ−当接部よりの内辺及びその延長線上と、コ−ナ−当接部の間の範囲が取付プレ−ト部の範囲で、それ以外の部分が支持部となる。
【００１５】
次に前記取付プレ−ト部の向きについては、支持部に対しほぼ直行方向の向きが取付プレ−ト部の縦方向となる。又これに基づき取付プレ−ト部の縦方向が架台の縦方向となる
【００１６】
次に取付プレ−ト部の輪郭の形状は、３角形以上の多角形状か円状又は、円状と角の組み合わせの形状をしたプレ−トである。
【００１７】
次に取付面は、コ−ナ−当接部と内辺の間の面を指し、この面の形状はほぼフラットとするが、ほぼフラットの範囲には取付プレ−ト部の一番厚い所の厚みの四割迄の補強材による突起は含まれ、又補強材を除く取付プレ−ト部の一番厚い所の厚みの四割迄の、取付プレ−ト部の厚い所と薄い所の厚みの差がある場合もほぼフラットの範囲に含まれる。
【００１８】
次に支持部又は第２支持部と取付プレ−ト部が平面視してほぼ直交の構成とは、支持部又は第２支持部の長手方向にひっぱた中心線及びこの延長線と、コ−ナ−当接部及びこの延長線がほぼ直角に交わっていることである。又ほぼ直角の角度は９０度を境に前後５度以内である。
【００１９】
次に支持部と取付プレ−ト部の組み合わせにおいての成形方法は、一枚物で成型するか又は、取付プレ−ト部と支持部とを補強材も含めネジで固定するか又は、取付プレ−ト部と支持部とをフックで接合する方法があるが、その中でも一枚物で成型又は、取付プレ−ト部と支持部とを補強材も含めネジで固定するのが好ましい。
【発明の効果】
【００２０】
本発明による架台であれば次のような効果を奏することができる。まず額縁の縦向きコ−ナ−部であれば既設ネジ穴を利用して架台が取付けられるため、ネジ止めキズが残らない。
【００２１】
次に額縁の縦向きコ−ナ−部の既設ネジ穴を利用して取付けると、間口に対し支持部が手前にくるため、支持部が出入りの邪魔にならない。
【００２２】
次に支持部が取付プレ−トに対し横方向にあることにより、支持部と取付プレ−ト部の合わさる部分の寸法が、取付プレ−ト部の横幅分取れるため、従来の架台より支持部の支持加重に対して、支持部と取付プレ−ト部の合わさる部分の寸法が長くとれることから、支持部と取付プレ−ト部とを筋かう補強を小さくする又は無くすことができ、更に支持部と取付プレ−ト部並びに補強部が、取付先の面に沿う状態になることから、棚板を介さない架台露出時でも外観の違和感が抑えられ外観上好ましい状態になる。
【００２３】
次に額縁の縦向きコ−ナ−部の上部の既設ネジ穴を利用して架台を取付けて、クリップ式固定の小型扇風機、すなわちクリップ扇を換気扇代わりに取付けるとき、取付先の窓の位置よってクリップ扇だけで調整がきかず、効果的な方向に風が送れない場合に、支持部側に１つ以上横長ネジ穴があれば、架台をコ−ナ−に対し上下方向にスライドさせて、支持部の位置を可変させることにより調整の範囲が広がり、効果的な方向に風が送れるようになる。
【００２４】
次にクリップ扇を換気扇代わりに取付けるとき、額縁が固定されている木枠の横部にクリップ扇が当たる場合、非支持部側にも１つ以上横長ネジ穴があることで、架台を縦方向に１８０度反転させ支持部を下にする支持部の位置の可変により、内辺分上部の空間が広くなるため、クリップ扇を縦方向に１８０度反転させずに取付けできる。
【００２５】
次にコ−ナ−に対し上下方向の支持部の位置の可変が支持部側と、非支持部側それぞれに１つ以上横長ネジ穴があることで、前記可変が１つの架台でできるため、前記可変のために、横長ネジ穴の位置をそれぞれ変えた何種類かの架台を在庫保有する必要がなくなり、結果在庫が減りコストを削減できる。
【００２６】
次に第２支持部を後で追加すれば、例えばクリップ扇を換気扇代わりに支持部又は第２支持部に取付け、その下側又は上側にくる支持部並びに第２支持部にタオルや小物をかけたり、棚受けとして利用すれば１つの架台で２つの機能が同時に使え便利であり、又後で追加することで必要に応じての使い分けができる。更に第２支持部のために新たな架台を取付けなくてもよくなる。
【発明を実施するための最良の形態】
【００２７】
以下に本発明の実施の形態及び実施例を添付図面に基づいて詳細に説明する。図１及び図２は、本発明の一実施形態に係る請求項１記載の架台１の構成及び形状を示す平面図並びに斜視図であり、支持部１aと、コ−ナ−当接部１e並びに取付面１gを備えた取付プレ−ト部１dとが、平面視してほぼ直交の構成で、更にコ−ナ−当接部１eを境に支持部１aの反対側には何も出ていない取付プレ−ト部１dに、コ−ナ−当接部１eから内辺１f迄で、かつ取付プレ−ト部１ｄの縦方向の両端からそれぞれ3分の１の範囲に、支持部１aに対しほぼ直角にネジ止めをする支持部１a側に横長のネジ穴１hを、１つ以上設けたことを特徴とする架台である。
【００２８】
図３は請求項１記載の架台取付けの一実施例を示す斜視図であり、額縁の縦向きコ−ナ−部の額縁２は、通常木枠３に複数の額縁固定用ネジ２aで固定されており、その中の上部の額縁固定用ネジ２aの１つを外し、取付面１gを額縁固定用ネジ２a側の面に当接させ、コ−ナ−当接部１eをつば部２ｂに当接させて、支持部１a側にある横長ネジ穴１hの１つに取付ネジ１jで、額縁固定用ネジ２aのネジ穴に締め込んで取付けられている。
【００２９】
図４は請求項１記載の架台取付けの一実施例を示す斜視図であり、額縁の縦向きコ−ナ−部の額縁２の最上部の額縁固定用ネジ２aを外し、架台１を縦方向に１８０度反転させ支持部１aを下にして、取付面１gを額縁固定用ネジ２a側の面に当接させ、コ−ナ−当接部１eをつば部２ｂに当接させて、非支持部側にある横長ネジ穴１hの１つに取付ネジ１jで、額縁固定用ネジ２aのネジ穴に締め込んで取付けられている。
【００３０】
図５は請求項１記載の架台取付けの一実施例を示す斜視図であり、２壁面の縦向きコ−ナ−部の壁面４に取付面１gを当接させ、もう１面の壁面４にコ−ナ−当接部１eを当接させて、支持部１a側にある横長ネジ穴１hの１つに取付ネジ１jで、壁面４にネジ穴を１つ新設し直接締め込んで取付けられている。
【００３１】
図６は請求項１記載の架台を利用した一実施例を示す斜視図であり、額縁の縦向きコ−ナ−部の額縁２に取付けられた架台１にクリップ扇５を取付けて、窓のある換気扇のない風呂場に換気扇代わりに利用しているところを表している。
【００３２】
図７及び図８は、前記架台のより好ましい構成の取付けの一実施例を示す図であり、額縁の縦向きコ−ナ−部の額縁２に取付ける時、非ネジ止め側の取付面１gに両面テ−プ１kを貼り、額縁固定用ネジ２a側の面と取着することで安定性を高めることができ、又額縁の縦向きコ−ナ−部の額縁２に取付けると額縁２の厚み分取付面１gと、木枠３との間に隙間が生じがたつくことから、隙間を埋めるスペ−サ−１mを、隙間がある位置の取付面１gに両面テ−プ１k等で固定し取付けることで、がたつきが抑えられるところを表している。そして両面テ−プ１k及びスペ−サ−1mについては、取付先の形状を考慮し必要に応じて使用するのが良い。
【００３３】
以上の内容はあくまで本発明の一実施形態に関するものであって、本発明が上記内容のみに限定されることを意味するものではない。例えば支持部１aや取付プレ−ト部１dは、取付先の強度を考えた上で利用目的に合わせ、長さ及び幅並びに厚みを増減させて、支える加重を増減させても良い。
【００３４】
又本発明の架台１は額縁の縦向きコ−ナ−部だけではなく、ネジ穴を新設するのであれば、スペ−サ−１mを取付面１gの両サイドに取付ける又は、支持部１aより取付プレ−ト部１dの厚みを増して、２壁面の縦向きコ−ナ−部の壁面４に対し支持部１aが浮く状態にして取付け、クリップ扇５を取付けても良いし、
又２壁面の縦向きコ−ナ−部に架台１を対に取付け、棚板受け用のＬ字型又はピン部材を支持部１aに取付け棚受けとして利用しても良い、更に２壁面の縦向きコ−ナ−部に取付けるとき、架台１の下側に障害物があって上部の空間が狭くなる場合は、架台１を縦方向に１８０度反転させて支持部１aを下にし、内辺１f分上部の空間を広くして利用しても良く、他のことにおいても本発明の要旨を逸脱しない範囲においては、色々な形態で実施し得ることは勿論である。
【産業上の利用可能性】
【００３５】
本発明の架台であれば２壁面の縦向きコ−ナ−部に取付ける又は、額縁の縦向きコ−ナ−部の既設ネジ穴を利用して取付け、更に取付けるとき１つの架台で縦向きのコ−ナ−に対し、上下方向に支持部の位置を可変させて取付けができることから、支持部に乗せる対象物の効果的な利用が見込め、又ネジ止めキズや美観の問題により、取付けが手控えられているところでの利用が期待できる。
【図面の簡単な説明】
【００３６】
【図１】本発明に係る架台本体の平面図である。
【図２】図１の斜視図である。
【図３】本発明に係る架台の取付例で、出入り口に使用されている額縁の縦向きコ−ナ−部に、架台を取付けた状態の斜視図である。
【図４】本発明に係る架台の取付例で、出入り口に使用されている額縁の縦向きコ−ナ−部に、架台を縦方向に１８０度反転させて取付けた状態の斜視図である。
【図５】本発明に係る架台の取付例で、２壁面の縦向きコ−ナ−部に取付けた状態の斜視図である。
【図６】本発明に係る架台の利用例で、架台にクリップ扇を取付けた状態の斜視図である。
【図７】本発明に係る架台のより好ましい構成の取付例で、安定用の両面テ−プと、隙間埋め用のスペ−サ−が取付けられた架台を、額縁の縦向きコ−ナ−部に取付けた状態を示す、架台の支持部側から見た図である。
【図８】図７を架台の平面側から見た図である。
【符号の説明】
【００３７】
１  架台
１a  支持部
１c  内辺が支持部をまたいでいる部分 
１d  取付プレ−ト部
１e  コ−ナ−当接部
１f  内辺
１g  取付面
１h  横長ネジ穴
１j  取付ネジ
１k  両面テ−プ
１m  スペ−サ−
２  額縁
２a  額縁固定用ネジ（既設ネジ）
２b  つば部
３  木枠
４  壁面
５  クリップ扇
【図１】
2009045079.tif 000003
【図２】
2009045079.tif 000004
【図３】
2009045079.tif 000005
【図４】
2009045079.tif 000006
【図５】
2009045079.tif 000007
【図６】
2009045079.tif 000008
【図７】
2009045079.tif 000009
【図８】
2009045079.tif 000010
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
物をはさむ又は乗せる支持部と、コ−ナ−当接部並びにほぼフラットな取付面を備えた取付プレ−ト部とが、平面視してほぼ直交の構成で、更に前記コ−ナ−当接部を境に前記支持部の反対側には何も出ていない前記取付プレ−ト部に、コ−ナ−当接部から内辺迄で、かつ取付プレ−ト部の縦方向の両端からそれぞれ3分の１の範囲に、前記支持部に対しほぼ直角にネジ止めをする支持部側に横長のネジ穴を、１つ以上設けたことを特徴とする架台。
【請求項２】
第２支持部を前記取付プレ−ト部と平面視してほぼ直交に、後で前記取付プレ−ト部に追加で取付けることを特徴とする請求項１記載の架台。
【請求項３】
前記取付面と平行方向の支持部の面と、内辺が支持部をまたいでいる部分の範囲の取付面に、後で棚板受け用のＬ字型又はピン部材を追加で取付けることを特徴とする請求項１又は２記載の架台。
【手続補正２】
【補正対象書類名】明細書
【補正対象項目名】０００５
【補正方法】変更
【補正の内容】
【０００５】
しかしながら上記従来のネジ止めの架台では、ネジ穴を新設して取付けることを前提にした支持部と取付プレ−ト部の構成並びに、取付プレ−ト部のネジ穴の配置のため、額縁の縦向きコ−ナ−部の既設ネジ穴を利用して取付けても、前記コ−ナ−に対し上下方向に支持部の位置を可変させて物を支えることができない問題がある。
【手続補正３】
【補正対象書類名】明細書
【補正対象項目名】０００７
【補正方法】変更
【補正の内容】
【０００７】
又支持部が取付先の面に対し手前に来る構成のため、支持部と取付プレ−ト部の合わさっている部分の寸法が、支持部の支持加重に対し取付プレ−ト部又は、支持部の厚み分の寸法しかないことから、加重量が大きくなると支持部と取付プレ−ト部とを筋かう補強を大きくするか又は、取付プレ−ト部又は支持部の厚みを増やし、合わさっている部分の寸法をのばし強度を上げるか又は、架台を強度のある素材で作ることとなりいかつさがでてしまい、棚板を介さず支持部を直接利用する架台露出時は、前記補強部の大きさ又は前記厚み又は前記素材によるいかつさが外観の違和感となり、外観上好ましくない場合もでてくる。
【手続補正４】
【補正対象書類名】明細書
【補正対象項目名】０００９
【補正方法】変更
【補正の内容】
【０００９】
上記目的を達成するために本発明は、物をはさむ又は乗せる支持部と、コ−ナ−当接部並びにほぼフラットな取付面を備えた取付プレ−ト部とが、平面視してほぼ直交の構成で、更に前記コ−ナ−当接部を境に前記支持部の反対側には何も出ていない前記取付プレ−ト部に、コ−ナ−当接部から内辺迄で、かつ取付プレ−ト部の縦方向の両端からそれぞれ3分の１の範囲に、前記支持部に対しほぼ直角にネジ止めをする支持部側に横長のネジ穴を、１つ以上設けたことを特徴とする架台である。
【手続補正５】
【補正対象書類名】明細書
【補正対象項目名】００１０
【補正方法】変更
【補正の内容】
【００１０】
又第２支持部を前記取付プレ−ト部と平面視してほぼ直交に、後で前記取付プレ−ト部に追加で取付けることを特徴とする架台である。
【手続補正６】
【補正対象書類名】明細書
【補正対象項目名】００１１
【補正方法】変更
【補正の内容】
【００１１】
又前記取付面と平行方向の支持部の面と、内辺が支持部をまたいでいる部分の範囲の取付面に、後で棚板受け用のＬ字型又はピン部材を追加で取付けることを特徴とする架台である。
【手続補正７】
【補正対象書類名】明細書
【補正対象項目名】００２３
【補正方法】変更
【補正の内容】
【００２３】
次に額縁の縦向きコ−ナ−部の上部の既設ネジ穴を利用して架台を取付けて、クリップ式固定の小型扇風機、すなわちクリップ扇を換気扇代わりに取付けるとき、取付先の窓の位置よってクリップ扇だけで調整がきかず、効果的な方向に風が送れない場合に、支持部側に１つ以上横長ネジ穴があれば、架台を前記コ−ナ−に対し上下方向にスライドさせて、支持部の位置を可変させることで調整の範囲が広がり、効果的な方向に風が送れるようになる。
【手続補正８】
【補正対象書類名】明細書
【補正対象項目名】００２５
【補正方法】変更
【補正の内容】
【００２５】
次に縦向きのコ−ナ−に対し上下方向の支持部の位置の可変が支持部側と、非支持部側それぞれに１つ以上横長ネジ穴があることで、前記可変が１つの架台でできるため、前記可変のために、横長ネジ穴の位置をそれぞれ変えた何種類かの架台を在庫保有する必要がなくなり、結果在庫が減りコストを削減できる。
【手続補正９】
【補正対象書類名】明細書
【補正対象項目名】００２６
【補正方法】変更
【補正の内容】
【００２６】
次に第２支持部を後で取付プレ−ト部に追加で取付ければ、例えばクリップ扇を換気扇代わりに支持部又は第２支持部に取付け、その下側又は上側にくる支持部並びに第２支持部にタオルや小物をかけたり、棚受けとして利用すれば１つの架台で２つの機能が同時に使え便利であり、又後で追加することによって必要に応じての使い分けができる。更に第２支持部のために新たな架台を取付けなくてもよくなる。
【手続補正１０】
【補正対象書類名】明細書
【補正対象項目名】００３４
【補正方法】変更
【補正の内容】
【００３４】
又本発明の架台１は額縁の縦向きコ−ナ−部だけではなく、ネジ穴を新設するのであれば、スペ−サ−１mを取付面１gの両サイドに取付ける又は、支持部１aより取付プレ−ト部１dの厚みを増して、２壁面の縦向きコ−ナ−部の壁面４に対し支持部１aが浮く状態にして取付け、クリップ扇５を取付けても良いし、
又２壁面の縦向きコ−ナ−部に架台１を対に取付け、棚板受け用のＬ字型又はピン部材を取付面１gと平行方向の支持部１aの面と、内辺が支持部をまたいでいる部分１cの範囲の取付面１gに取付け棚受けとして利用しても良い、更に２壁面の縦向きコ−ナ−部に取付けるとき、架台１の下側に障害物があって上部の空間が狭くなる場合は、架台１を縦方向に１８０度反転させて支持部１aを下にし、内辺１f分上部の空間を広くして利用しても良く、他のことにおいても本発明の要旨を逸脱しない範囲においては、色々な形態で実施し得ることは勿論である。
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
物をはさむための又は乗せるための支持部と、コ−ナ−当接部並びにほぼフラットな取付面を備えた取付プレ−ト部とが、平面視してほぼ直交していて、更に前記コ−ナ−当接部を境に前記支持部の反対側には何も出ていない架台であって、この架台の前記取付プレ−ト部に、コ−ナ−当接部から内辺迄で、かつ取付プレ−ト部の縦方向の支持部側の端から3分の１の範囲及び、非支持部側の端から3分の１の範囲のそれぞれに、支持部側に横長のネジ穴を１つ以上設け、
支持部を上にして額縁の縦向きコ−ナ−部の額縁固定用ネジ側の面、又は２壁面の縦向きコ−ナ−部の１壁面に前記取付面を当接させ、次に額縁の縦向きコ−ナ−部のつば部、又は２壁面の縦向きコ−ナ−部のもう１面の壁面に前記コ−ナ−当接部を当接し、他方、架台を縦方向に１８０度反転させ支持部を下にして前記当接をし、
支持部が上のときは支持部側の前記ネジ穴の１つに、又支持部が下のときは非支持部側の前記ネジ穴の１つに取付ネジを通し、額縁の縦向きコ−ナ−部は額縁固定用ネジ穴の１つに、前記取付ネジを締め込んで架台を取付ける、そして２壁面の縦向きコ−ナ−部は１壁面にネジ穴を１つ新設し、このネジ穴に前記取付ネジを締め込んで架台を取付けることで、１つの架台で前記コ−ナ−に対し、上下方向に支持部の位置を可変させて物が支えられることを特徴とする架台。
【請求項２】
第２支持部を前記取付プレ−ト部と平面視してほぼ直交にして、後で追加で取付けられることを特徴とする請求項１記載の架台。
【請求項３】
前記取付面と平行方向の前記支持部の面に、後で棚板受け用のＬ字型又はピン部材を追加で取付けられることを特徴とする請求項１又は２記載の架台。
【手続補正２】
【補正対象書類名】明細書
【補正対象項目名】０００１
【補正方法】変更
【補正の内容】
【０００１】
本発明は１つの架台で縦向きのコ−ナ−に対し、上下方向に支持部の位置を可変させて物が支えられ、又外観の違和感も抑えられる架台に関する。
【手続補正３】
【補正対象書類名】明細書
【補正対象項目名】０００５
【補正方法】変更
【補正の内容】
【０００５】
しかしながら上記従来のネジ止めの架台で、額縁の縦向きコ−ナ−部の既設ネジ穴を利用して取付けようとすると、ネジ穴を新設して取付けることを前提にした支持部と取付プレ−ト部の構成並びに、取付プレ−ト部のネジ穴の配置のため、前記コ−ナ−に対し上下方向に支持部の位置を可変させることも、物を支えることもできない問題がある。
【手続補正４】
【補正対象書類名】明細書
【補正対象項目名】０００８
【補正方法】変更
【補正の内容】
【０００８】
本発明は上記課題を解決しようとするもので、その目的は内角がほぼ直角で内面が平面状のL字型やコ字型の建材いわゆる額縁で、この額縁の縦向きコ−ナ−部の額縁を固定しているネジ穴いわゆる既設ネジ穴の１つに取付ネジを締め込んで架台を取付ける、又は２壁面の縦向きコ−ナ−部の１壁面にネジ穴を１つ新設し、このネジ穴に取付ネジを締め込んで架台を取付けることで、１つの架台で縦向きのコ−ナ−に対し、上下方向に支持部の位置を可変させて物が支えられ、又架台露出時の外観の違和感も抑えられる架台を提供することでことである。
【手続補正５】
【補正対象書類名】明細書
【補正対象項目名】０００９
【補正方法】変更
【補正の内容】
【０００９】
上記目的を達成するために本発明は、物をはさむための又は乗せるための支持部と、コ−ナ−当接部並びにほぼフラットな取付面を備えた取付プレ−ト部とが、平面視してほぼ直交していて、更に前記コ−ナ−当接部を境に前記支持部の反対側には何も出ていない架台であって、この架台の前記取付プレ−ト部に、コ−ナ−当接部から内辺迄で、かつ取付プレ−ト部の縦方向の支持部側の端から3分の１の範囲及び、非支持部側の端から3分の１の範囲のそれぞれに、支持部側に横長のネジ穴を１つ以上設け、
支持部を上にして額縁の縦向きコ−ナ−部の額縁固定用ネジ側の面、又は２壁面の縦向きコ−ナ−部の１壁面に前記取付面を当接させ、次に額縁の縦向きコ−ナ−部のつば部、又は２壁面の縦向きコ−ナ−部のもう１面の壁面に前記コ−ナ−当接部を当接し、他方、架台を縦方向に１８０度反転させ支持部を下にして前記当接をし、
支持部が上のときは支持部側の前記ネジ穴の１つに、又支持部が下のときは非支持部側の前記ネジ穴の１つに取付ネジを通し、額縁の縦向きコ−ナ−部は額縁固定用ネジ穴の１つに、前記取付ネジを締め込んで架台を取付ける、そして２壁面の縦向きコ−ナ−部は１壁面にネジ穴を１つ新設し、このネジ穴に前記取付ネジを締め込んで架台を取付けることで、１つの架台で前記コ−ナ−に対し、上下方向に支持部の位置を可変させて物が支えられることを特徴とする架台である。
【手続補正６】
【補正対象書類名】明細書
【補正対象項目名】００１０
【補正方法】変更
【補正の内容】
【００１０】
又第２支持部を前記取付プレ−ト部と平面視してほぼ直交にして、後で追加で取付けられることを特徴とする架台である。
【手続補正７】
【補正対象書類名】明細書
【補正対象項目名】００１１
【補正方法】変更
【補正の内容】
【００１１】
又前記取付面と平行方向の前記支持部の面に、後で棚板受け用のＬ字型又はピン部材を追加で取付けられることを特徴とする架台である。
【手続補正８】
【補正対象書類名】明細書
【補正対象項目名】００１３
【補正方法】変更
【補正の内容】
【００１３】
そこでまずコ−ナ−当接部とは、額縁の縦向きコ−ナ−部の額縁固定用ネジ穴の無い面、いわゆるつば部又は、２壁面の縦向きコ−ナ−部の１壁面に当接させる部分で、取付プレ−ト部の縦向きの２辺の内、支持部の先端から遠い方の辺を指し、そしてこの辺は凸部がない直線であることが好ましいが、凸部が複数ある場合は凸部を結ぶ線分がコ−ナ−当接部となり、又凸部が１つの場合で凸部に直線があり、その直線が取付プレ−ト部の縦方向の範囲の五割を超える場合は、前記凸部の直線がコ−ナ−当接部となる。
【手続補正９】
【補正対象書類名】明細書
【補正対象項目名】００１５
【補正方法】変更
【補正の内容】
【００１５】
次に前記取付プレ−ト部の向きについては、支持部に対しほぼ直交方向の向きが取付プレ−ト部の縦方向となる。又これに基づき取付プレ−ト部の縦方向が架台の縦方向となる
【手続補正１０】
【補正対象書類名】明細書
【補正対象項目名】００２３
【補正方法】変更
【補正の内容】
【００２３】
次に額縁の縦向きコ−ナ−部の上部の既設ネジ穴を利用して、支持部を上にして架台を取付けて、クリップ式固定の小型扇風機、いわゆるクリップ扇を換気扇代わりに取付けるとき、取付先の窓の位置よってクリップ扇だけで調整がきかず、効果的な方向に風が送れない場合に、支持部側に１つ以上横長ネジ穴があれば、架台をコ−ナ−に対し上下方向にスライドさせて、支持部の位置を可変させることにより調整の範囲が広がり、効果的な方向に風が送れるようになる。
【手続補正１１】
【補正対象書類名】明細書
【補正対象項目名】００２４
【補正方法】変更
【補正の内容】
【００２４】
次にクリップ扇を換気扇代わりに取付けるとき、額縁が固定されている木枠の横部にクリップ扇が当たる場合、非支持部側にも１つ以上横長ネジ穴があることで、架台を縦方向に１８０度反転させ支持部を下にする支持部の位置の可変により、内辺分上部の空間が広くなるため、クリップ扇を縦方向に１８０度反転させずに取付けでき、又支持部が下の時非支持部側の横長ネジ穴でも、前記同様架台を縦向きのコ−ナ−に対し上下方向にスライドさせる、支持部の位置の可変もできる。
【手続補正１２】
【補正対象書類名】明細書
【補正対象項目名】００２６
【補正方法】変更
【補正の内容】
【００２６】
次に第２支持部を後で追加で取付けできれば、例えばクリップ扇を換気扇代わりに支持部又は第２支持部に取付け、その下側又は上側にくる支持部並びに第２支持部にタオルや小物をかけたり、棚受けとして利用すれば１つの架台で２つの機能が同時に使え便利であり、又第２支持部を後で追加で取付けできれば必要に応じての使い分けができる。更に第２支持部のために新たな架台を取付けなくてもよくなる。
【手続補正１３】
【補正対象書類名】明細書
【補正対象項目名】００２７
【補正方法】変更
【補正の内容】
【００２７】
以下に本発明の実施の形態及び実施例を添付図面に基づいて詳細に説明する。図１及び図２は、本発明の一実施形態に係る請求項１記載の架台１の構成及び形状を示す平面図並びに斜視図であり、支持部１aと、コ−ナ−当接部１e並びに取付面１gを備えた取付プレ−ト部１dとが、平面視してほぼ直交していて、更にコ−ナ−当接部１eを境に支持部１aの反対側には何も出ていない架台であって、この架台の取付プレ−ト部１dに、コ−ナ−当接部１eから内辺１f迄で、かつ取付プレ−ト部１ｄの縦方向の支持部１a側の端から3分の１の範囲及び、非支持部側の端から3分の１の範囲のそれぞれに、支持部１a側に横長のネジ穴１hを、１つ以上設けた構成の架台１である。
【手続補正１４】
【補正対象書類名】明細書
【補正対象項目名】００２８
【補正方法】変更
【補正の内容】
【００２８】
図３は請求項１記載の架台取付けの一実施例を示す斜視図であり、額縁の縦向きコ−ナ−部の額縁２は、通常木枠３に複数の額縁固定用ネジ２aで固定されており、その中の上部の額縁固定用ネジ２aの１つを外し、支持部１aを上にして取付面１gを額縁固定用ネジ２a側の面に当接させ、コ−ナ−当接部１eをつば部２ｂに当接させて、支持部１a側にある横長ネジ穴１hの１つに取付ネジ１jを通して、ネジを１つ外した前記額縁固定用ネジ２aのネジ穴に前記取付ネジ１jを締め込んで架台１が取付けられている。
【手続補正１５】
【補正対象書類名】明細書
【補正対象項目名】００２９
【補正方法】変更
【補正の内容】
【００２９】
図４は請求項１記載の架台取付けの一実施例を示す斜視図であり、額縁の縦向きコ−ナ−部の額縁２の最上部の額縁固定用ネジ２aを外し、架台１を縦方向に１８０度反転させ支持部１aを下にして、取付面１gを額縁固定用ネジ２a側の面に当接させ、コ−ナ−当接部１eをつば部２ｂに当接させて、非支持部側にある横長ネジ穴１hの１つに取付ネジ１jを通して、額縁固定用ネジ２aの最上部のネジ穴に前記取付ネジ１jを締め込んで架台１が取付けられている。
【手続補正１６】
【補正対象書類名】明細書
【補正対象項目名】００３０
【補正方法】変更
【補正の内容】
【００３０】
図５は請求項１記載の架台取付けの一実施例を示す斜視図であり、２壁面の縦向きコ−ナ−部の１壁面４に支持部１aを上にして取付面１gを当接させ、もう１面の壁面４にコ−ナ−当接部１eを当接させて、支持部１a側にある横長ネジ穴１hの１つに取付ネジ１jを通して、１壁面４にネジ穴を１つ新設し、このネジ穴に前記取付ネジ１jを締め込んで架台１が取付けられている。
【手続補正１７】
【補正対象書類名】明細書
【補正対象項目名】００３４
【補正方法】変更
【補正の内容】
【００３４】
又本発明の架台１の取付先は額縁の縦向きコ−ナ−部だけではなく、ネジ穴を新設するのであれば２壁面の縦向きコ−ナ−部に、スペ−サ−１mを取付面１gの両サイドに取付ける又は、支持部１aより取付プレ−ト部１dの厚みを増して、１壁面４に対し支持部１aが浮く状態にして架台１を取付け、クリップ扇５を取付けても良いし、
又２壁面の縦向きコ−ナ−部に架台１を対に取付け、棚板受け用のＬ字型又はピン部材を取付面１gと平行方向の支持部１aの面に取付け棚受けとして利用しても良い、更に２壁面の縦向きコ−ナ−部に支持部１aを上にして取付けるとき、架台１の下側に障害物があって上部の空間が狭くなる場合は、架台１を縦方向に１８０度反転させて支持部１aを下にし、内辺１f分上部の空間を広くして取付けても良く、他のことにおいても本発明の要旨を逸脱しない範囲においては、色々な形態で実施し得ることは勿論である。
【手続補正１８】
【補正対象書類名】明細書
【補正対象項目名】００３５
【補正方法】変更
【補正の内容】
【００３５】
本発明の架台であれば、額縁の縦向きコ−ナ−部の既設ネジ穴の１つを利用して取付けられる、又は２壁面の縦向きコ−ナ−部の１壁面にネジ穴を１つ新設し取付けられるため、ネジ止めキズや美観の問題で取付けが手控えられているところでの利用が期待でき、更に１つの架台で縦向きのコ−ナ−に対し、上下方向に支持部の位置が可変できることから、支持部に乗せる対象物の効果的な利用が見込める。
【手続補正書】
【提出日】平成19年11月2日(2007.11.2)
【手続補正１】
【補正対象書類名】特許請求の範囲
【補正対象項目名】請求項１
【補正方法】変更
【補正の内容】
【請求項１】
物をはさむための又は乗せるための支持部と、コ−ナ−当接部並びにほぼフラットな取付面を備えた取付プレ−ト部とが、平面視してほぼ直交していて、更に前記コ−ナ−当接部を境に前記支持部の反対側には何も出ていない架台であって、この架台の前記取付プレ−ト部に、コ−ナ−当接部から内辺迄で、かつ取付プレ−ト部の縦方向の支持部側の端から3分の１の範囲及び、非支持部側の端から3分の１の範囲のそれぞれに、横長のネジ穴を１つ以上設け、
支持部を上にして額縁の縦向きコ−ナ−部の額縁固定用ネジ側の面、又は２壁面の縦向きコ−ナ−部の１壁面に前記取付面を当接させ、次に額縁の縦向きコ−ナ−部のつば部、又は２壁面の縦向きコ−ナ−部のもう１面の壁面に前記コ−ナ−当接部を当接し、他方、架台を縦方向に１８０度反転させ支持部を下にして前記当接をし、
支持部が上のときは支持部側の前記ネジ穴の１つに、又支持部が下のときは非支持部側の前記ネジ穴の１つに取付ネジを通し、額縁の縦向きコ−ナ−部は額縁固定用ネジ穴の１つに、前記取付ネジを締め込んで架台を取付ける、そして２壁面の縦向きコ−ナ−部は１壁面にネジ穴を１つ新設し、このネジ穴に前記取付ネジを締め込んで架台を取付けることで、１つの架台で前記コ−ナ−に対し、上下方向に支持部の位置を可変させて物が支えられることを特徴とする架台。
【手続補正２】
【補正対象書類名】明細書
【補正対象項目名】０００２
【補正方法】変更
【補正の内容】
【０００２】
従来のネジ止めの架台は１面の壁面、又は縦向きのコ−ナ−部の２面を使い、ネジ穴を新設して取付けることを前提にした支持部と取付プレ−ト部の構成、並びに取付プレ−ト部のネジ穴の配置がなされていた。又取付先の面に対し支持部が手前に来る構成になっていた。（特許文献１及び特許文献２参照。）。
【手続補正３】
【補正対象書類名】明細書
【補正対象項目名】０００５
【補正方法】変更
【補正の内容】
【０００５】
しかしながら上記従来のネジ止めの架台で、額縁の縦向きコ−ナ−部の既設ネジ穴を利用して取付けようとすると、ネジ穴を新設して取付けることを前提にした支持部と取付プレ−ト部の構成、並びに取付プレ−ト部のネジ穴の配置のため、前記コ−ナ−に対し上下方向に支持部の位置を可変させることも、物を支えることもできない問題がある。
【手続補正４】
【補正対象書類名】明細書
【補正対象項目名】０００７
【補正方法】変更
【補正の内容】
【０００７】
又支持部が取付先の面に対し手前に来る構成のため、支持部と取付プレ−ト部の合わさっている部分の寸法が、支持部の支持加重に対し取付プレ−ト部、又は支持部の厚み分の寸法しかないことから、加重量が大きくなると支持部と取付プレ−ト部とを筋かう補強を大きくするか、又は取付プレ−ト部又は支持部の厚みを増やし、合わさっている部分の寸法をのばし強度を上げるか、又は架台を強度のある素材で作ることとなりいかつさがでてしまい、棚板を介さず支持部を直接利用する架台露出時は、前記補強部の大きさ又は前記厚み、又は前記素材によるいかつさが外観の違和感となり、外観上好ましくない場合もでてくる。
【手続補正５】
【補正対象書類名】明細書
【補正対象項目名】０００８
【補正方法】変更
【補正の内容】
【０００８】
本発明は上記課題を解決しようとするもので、その目的は内角がほぼ直角で内面が平面状のL字型やコ字型の建材いわゆる額縁で、この額縁の縦向きコ−ナ−部の額縁を固定しているネジ穴いわゆる既設ネジ穴の１つに、取付ネジを締め込んで架台を取付ける、又は２壁面の縦向きコ−ナ−部の１壁面にネジ穴を１つ新設し、このネジ穴に取付ネジを締め込んで架台を取付けることで、１つの架台で縦向きのコ−ナ−に対し、上下方向に支持部の位置を可変させて物が支えられ、又架台露出時の外観の違和感も抑えられる架台を提供することである。
【手続補正６】
【補正対象書類名】明細書
【補正対象項目名】０００９
【補正方法】変更
【補正の内容】
【０００９】
上記目的を達成するために本発明は、物をはさむための又は乗せるための支持部と、コ−ナ−当接部並びにほぼフラットな取付面を備えた取付プレ−ト部とが、平面視してほぼ直交していて、更に前記コ−ナ−当接部を境に前記支持部の反対側には何も出ていない架台であって、この架台の前記取付プレ−ト部に、コ−ナ−当接部から内辺迄で、かつ取付プレ−ト部の縦方向の支持部側の端から3分の１の範囲及び、非支持部側の端から3分の１の範囲のそれぞれに、横長のネジ穴を１つ以上設け、
支持部を上にして額縁の縦向きコ−ナ−部の額縁固定用ネジ側の面、又は２壁面の縦向きコ−ナ−部の１壁面に前記取付面を当接させ、次に額縁の縦向きコ−ナ−部のつば部、又は２壁面の縦向きコ−ナ−部のもう１面の壁面に前記コ−ナ−当接部を当接し、他方、架台を縦方向に１８０度反転させ支持部を下にして前記当接をし、
支持部が上のときは支持部側の前記ネジ穴の１つに、又支持部が下のときは非支持部側の前記ネジ穴の１つに取付ネジを通し、額縁の縦向きコ−ナ−部は額縁固定用ネジ穴の１つに、前記取付ネジを締め込んで架台を取付ける、そして２壁面の縦向きコ−ナ−部は１壁面にネジ穴を１つ新設し、このネジ穴に前記取付ネジを締め込んで架台を取付けることで、１つの架台で前記コ−ナ−に対し、上下方向に支持部の位置を可変させて物が支えられることを特徴とする架台である。
【手続補正７】
【補正対象書類名】明細書
【補正対象項目名】００１３
【補正方法】変更
【補正の内容】
【００１３】
そこでまずコ−ナ−当接部とは、額縁の縦向きコ−ナ−部の額縁固定用ネジ穴の無い面いわゆるつば部、又は２壁面の縦向きコ−ナ−部の１壁面に当接させる部分で、取付プレ−ト部の縦向きの２辺の内、支持部の先端から遠い方の辺を指し、そしてこの辺は凸部がない直線であることが好ましいが、凸部が複数ある場合は凸部を結ぶ線分がコ−ナ−当接部となり、又凸部が１つの場合で凸部に直線があり、その直線が取付プレ−ト部の縦方向の範囲の五割を超える場合は、前記凸部の直線がコ−ナ−当接部となる。
【手続補正８】
【補正対象書類名】明細書
【補正対象項目名】００１６
【補正方法】変更
【補正の内容】
【００１６】
次に取付プレ−ト部の輪郭の形状は３角形以上の多角形状か、円状又は円状と角の組み合わせの形状をしたプレ−トである。
【手続補正９】
【補正対象書類名】明細書
【補正対象項目名】００１９
【補正方法】変更
【補正の内容】
【００１９】
次に支持部と取付プレ−ト部の組み合わせにおいての成形方法は、一枚物で成型するか、又は取付プレ−ト部と支持部とを補強材も含めネジで固定するか、又は取付プレ−ト部と支持部とをフックで接合する方法があるが、その中でも一枚物で成型、又は取付プレ−ト部と支持部とを補強材も含めネジで固定するのが好ましい。
【手続補正１０】
【補正対象書類名】明細書
【補正対象項目名】００２２
【補正方法】変更
【補正の内容】
【００２２】
次に支持部が取付プレ−ト部に対し横方向にあることにより、支持部と取付プレ−ト部の合わさる部分の寸法が、取付プレ−ト部の横幅分取れるため、従来の架台より支持部の支持加重に対して、支持部と取付プレ−ト部の合わさる部分の寸法が長くとれることから、支持部と取付プレ−ト部とを筋かう補強を小さくする又は無くすことができ、更に支持部と取付プレ−ト部並びに補強部が、取付先の面に沿う状態になることから、棚板を介さない架台露出時でも外観の違和感が抑えられ外観上好ましい状態になる。
【手続補正１１】
【補正対象書類名】明細書
【補正対象項目名】００２３
【補正方法】変更
【補正の内容】
【００２３】
次に額縁の縦向きコ−ナ−部の上部の既設ネジ穴を利用して、支持部を上にして架台を取付けて、クリップ式固定の小型扇風機、いわゆるクリップ扇を換気扇代わりに支持部に取付けるとき、取付先の窓の位置よってクリップ扇だけで調整がきかず、効果的な方向に風が送れない場合に、支持部側に１つ以上横長ネジ穴があれば、架台を前記コ−ナ−に対し上下方向にスライドさせて、支持部の位置を可変させることで調整の範囲が広がり、効果的な方向に風が送れるようになる。
【手続補正１２】
【補正対象書類名】明細書
【補正対象項目名】００２４
【補正方法】変更
【補正の内容】
【００２４】
次にクリップ扇を換気扇代わりに取付けるとき、額縁が固定されている木枠の横部にクリップ扇が当たる場合、非支持部側にも１つ以上横長ネジ穴があることで、架台を縦方向に１８０度反転させ支持部を下にする支持部の位置の可変により、内辺分上部の空間が広くなるため、クリップ扇を縦方向に１８０度反転させずに支持部に取付けでき、又支持部が下の時非支持部側の横長ネジ穴でも、前記同様架台を縦向きのコ−ナ−に対し上下方向にスライドさせる支持部の位置の可変もできる。
【手続補正１３】
【補正対象書類名】明細書
【補正対象項目名】００２５
【補正方法】変更
【補正の内容】
【００２５】
次に縦向きのコ−ナ−に対し上下方向の支持部の位置の可変が、取付プレ−ト部の支持部側と、非支持部側それぞれに１つ以上横長ネジ穴があることで、前記可変が１つの架台でできるため、前記可変のために、横長ネジ穴の位置をそれぞれ変えた何種類かの架台を在庫保有する必要がなくなり、結果在庫が減りコストを削減できる。
【手続補正１４】
【補正対象書類名】明細書
【補正対象項目名】００２６
【補正方法】変更
【補正の内容】
【００２６】
次に第２支持部を後で追加で取付けできれば、例えばクリップ扇を換気扇代わりに支持部又は第２支持部に取付け、その下側又は上側にくる第２支持部、又は支持部にタオルや小物をかけたり、棚受けとして利用すれば１つの架台で２つの機能が同時に使え便利であり、又第２支持部を後で追加で取付けできれば必要に応じての使い分けができる。更に第２支持部のために新たな架台を取付けなくてもよくなる。
【手続補正１５】
【補正対象書類名】明細書
【補正対象項目名】００２７
【補正方法】変更
【補正の内容】
【００２７】
以下に本発明の実施の形態及び実施例を添付図面に基づいて詳細に説明する。図１及び図２は、本発明の一実施形態に係る請求項１記載の架台１の構成及び形状を示す平面図並びに斜視図であり、支持部１aと、コ−ナ−当接部１e並びに取付面１gを備えた取付プレ−ト部１dとが、平面視してほぼ直交していて、更にコ−ナ−当接部１eを境に支持部１aの反対側には何も出ていない架台であって、この架台の取付プレ−ト部１dに、コ−ナ−当接部１eから内辺１f迄で、かつ取付プレ−ト部１ｄの縦方向の支持部１a側の端から3分の１の範囲及び、非支持部側の端から3分の１の範囲のそれぞれに、横長ネジ穴１hを、１つ以上設けた構成の架台１である。
【手続補正１６】
【補正対象書類名】明細書
【補正対象項目名】００２９
【補正方法】変更
【補正の内容】
【００２９】
図４は請求項１記載の架台取付けの一実施例を示す斜視図であり、額縁の縦向きコ−ナ−部の額縁２の最上部の額縁固定用ネジ２aを外し、架台１を縦方向に１８０度反転させ支持部１aを下にして、取付面１gを額縁固定用ネジ２a側の面に当接させ、コ−ナ−当接部１eをつば部２ｂに当接させて、非支持部側にある横長ネジ穴１hの１つに取付ネジ１jを通して、最上部の額縁固定用ネジ２aのネジ穴に前記取付ネジ１jを締め込んで架台１が取付けられている。
【手続補正１７】
【補正対象書類名】明細書
【補正対象項目名】００３４
【補正方法】変更
【補正の内容】
【００３４】
又本発明の架台１の取付先は額縁の縦向きコ−ナ−部だけではなく、２壁面の縦向きコ−ナ−部にネジ穴を新設して取付けるのであれば、スペ−サ−１mを取付面１gの両サイドに取付ける、又は支持部１aより取付プレ−ト部１dの厚みを増して、１壁面４に対し支持部１aを浮く状態にして架台１を取付け、クリップ扇５を取付けても良いし、
又２壁面の縦向きコ−ナ−部に架台１を対に取付け、棚板受け用のＬ字型又はピン部材を取付面１gと平行方向の支持部１aの面に取付け棚受けとして利用しても良い、更に２壁面の縦向きコ−ナ−部に支持部１aを上にして取付けるとき、架台１の下側に障害物があって上部の空間が狭くなる場合は、架台１を縦方向に１８０度反転させて支持部１aを下にし、内辺１f分上部の空間を広くして取付けても良く、他のことにおいても本発明の要旨を逸脱しない範囲においては、色々な形態で実施し得ることは勿論である。
【手続補正書】
【提出日】平成19年11月8日(2007.11.8)
【手続補正１】
【補正対象書類名】明細書
【補正対象項目名】０００８
【補正方法】変更
【補正の内容】
【０００８】
本発明は上記課題を解決しようとするもので、その目的は内角がほぼ直角で内面が平面状のL字型やコ字型の建材いわゆる額縁で、この額縁の縦向きコ−ナ−部の額縁を固定しているネジ穴いわゆる既設ネジ穴の１つに、取付ネジを締め込んで架台を取付ける、又は２壁面の縦向きコ−ナ−部の１壁面にネジ穴を１つ新設し、このネジ穴に取付ネジを締め込み架台を取付けることで、１つの架台で縦向きのコ−ナ−に対し、上下方向に支持部の位置を可変させて物が支えられ、又架台露出時の外観の違和感も抑えられる架台を提供することである。
【手続補正２】
【補正対象書類名】明細書
【補正対象項目名】００２３
【補正方法】変更
【補正の内容】
【００２３】
次に額縁の縦向きコ−ナ−部の上部の既設ネジ穴を利用して、支持部を上にして架台を取付けて、クリップ式固定の小型扇風機、いわゆるクリップ扇を換気扇代わりに支持部に取付けるとき、取付先の窓の位置によってクリップ扇だけで調整がきかず、効果的な方向に風が送れない場合に、支持部側に１つ以上横長ネジ穴があれば、架台を前記コ−ナ−に対し上下方向にスライドさせて、支持部の位置を可変させることで調整の範囲が広がり、効果的な方向に風が送られるようになる。
【手続補正３】
【補正対象書類名】明細書
【補正対象項目名】００３４
【補正方法】変更
【補正の内容】
【００３４】
又本発明の架台１の取付先は額縁の縦向きコ−ナ−部だけではなく、２壁面の縦向きコ−ナ−部にネジ穴を新設して取付けるのであれば、スペ−サ−１mを取付面１gの両面に取付ける、又は支持部１aより取付プレ−ト部１dの厚みを増して、１壁面４に対し支持部１aを浮く状態にして架台１を取付け、クリップ扇５を取付けても良いし、
又２壁面の縦向きコ−ナ−部に架台１を対に取付け、棚板受け用のＬ字型又はピン部材を取付面１gと平行方向の支持部１aの面に取付け棚受けとして利用しても良い、更に２壁面の縦向きコ−ナ−部に支持部１aを上にして取付けるとき、架台１の下側に障害物があって上部の空間が狭くなる場合は、架台１を縦方向に１８０度反転させて支持部１aを下にし、内辺１f分上部の空間を広くして取付けても良く、他のことにおいても本発明の要旨を逸脱しない範囲においては、色々な形態で実施し得ることは勿論である。
【手続補正書】
【提出日】平成19年12月5日(2007.12.5)
【手続補正１】
【補正対象書類名】明細書
【補正対象項目名】０００５
【補正方法】変更
【補正の内容】
【０００５】
しかしながら上記従来のネジ止めの架台で、額縁の縦向きコ−ナ−部の既設ネジ穴の１つを利用して取付けようとすると、ネジ穴を新設して取付けることを前提にした支持部と取付プレ−ト部の構成、並びに取付プレ−ト部のネジ穴の配置のため、前記コ−ナ−に対し上下方向に支持部の位置を可変させて、物を支えられる取付けができない問題がある。